(57)【要約】【目的】携帯電話１を用いてピア・トゥ・ピアのシステムを利用する。【構成】携帯電話１からメール・サーバ２０に電子メールで検索キーワードを送信する。メール・サーバ２０から，メール・サーバ２０とピア・トゥ・ピアのシステムを構成するコンピュータ２１〜２４に検索キーワードを送信する。コンピュータ２１〜２４において検索が行われ，該当するファイルが見つけられる。見つけられたファイルがコンピュータ２１〜２４からメール・サーバ２０に送信される。見つけられたファイルが電子メールの添付ファイルとしてメール・サーバ２０から携帯電話１に送信される。【選択図】    図１
2004178449.tif 000002
【特許請求の範囲】
【請求項１】
携帯型電子装置と検索指令サーバとを含み，
上記携帯型電子装置が，
検索条件を入力する検索条件入力手段，および
上記検索条件入力手段から入力された検索条件を表すデータを電子メールによって上記検索指令サーバに送信する第１の電子メール送信手段を備え，
上記検索指令サーバが，
上記携帯型電子装置の上記第１の電子メール送信手段から電子メールによって送信された検索条件データにもとづいて，コンピュータ装置に検索指令を送信する検索指令送信手段，および
上記検索指令送信手段から上記コンピュータ装置に送信される検索指令にもとづいて上記コンピュータ装置において検索されたことによって，上記コンピュータ装置から送信された検索結果を表すデータを上記携帯型電子装置に電子メールによって送信する第２の電子メール送信手段，
を備えた検索システム。
【請求項２】
上記携帯型電子装置が，
表示装置，および
上記表示装置に関する表示情報を上記検索指令サーバに送信する表示情報送信手段をさらに備え，
上記検索指令サーバが，
上記携帯型電子装置の上記表示情報送信手段から送信された表示情報にもとづいて，上記コンピュータ装置から送信された検索結果を表すデータを上記携帯型電子装置の上記表示装置に表示可能なように変換するデータ変換手段をさらに備え，
上記検索結果送信手段が，上記データ変換手段によって変換された検索結果データを上記携帯型電子装置に送信するものである，
請求項１に記載の検索システム。
【請求項３】
検索条件を入力する検索条件入力手段，および
上記検索条件入力手段から入力された検索条件を表すデータを電子メールによって上記検索指令サーバに送信する電子メール送信手段，
を備えた携帯型電子装置。
【請求項４】
携帯型電子装置から電子メールによって送信された検索条件データにもとづいて，コンピュータ装置に検索指令を送信する検索指令送信手段，および
上記検索指令送信手段から上記コンピュータ装置に送信される検索条件指令にもとづいて上記コンピュータ装置において検索されたことによって，上記コンピュータ装置から送信された検索結果を表すデータを上記携帯型電子装置に電子メールによって送信する電子メール送信手段，
を備えた検索指令サーバ。
【請求項５】
検索条件を入力し，
入力された検索条件を表すデータを電子メールによって上記検索指令サーバに送信する，
携帯型電子装置の制御方法。
【請求項６】
携帯型電子装置から電子メールによって送信された検索条件データにもとづいて，コンピュータ装置に検索指令を送信し，
上記コンピュータ装置に送信される検索条件指令にもとづいて上記コンピュータ装置において検索されたことによって，上記コンピュータ装置から送信された検索結果を表すデータを上記携帯型電子装置に電子メールによって送信する，
検索指令サーバの制御方法。
【請求項７】
携帯型電子装置から電子メールによって送信された検索条件データにもとづいて，コンピュータ装置に検索指令を送信させ，
上記コンピュータ装置に送信される検索条件指令にもとづいて上記コンピュータ装置において検索されたことによって，上記コンピュータ装置から送信された検索結果を表すデータを上記携帯型電子装置に電子メールによって送信させるように検索指令サーバを制御するプログラム。
【請求項８】
請求項７に記載の上記プログラムを格納した記録媒体。
【発明の詳細な説明】
【０００１】
【技術分野】
この発明は，検索システム，この検索システムを構成する携帯型電子情報装置および検索指令サーバならびにこれらの制御方法ならびに検索指令サーバを制御するプログラムに関する。
【０００２】
【発明の背景】
画像データや音楽データなどを複数のコンピュータで共有できるピア・トゥ・ピア・システムが実現されている。このようなピア・トゥ・ピア・システムにおいては，ピア・トゥ・ピア・システム専用の特別なプログラムをコンピュータにインストールする必要がある。
【０００３】
ところが，携帯電話などの携帯型電子情報装置においては，プログラムをインストールすることができないことがある。このために，携帯型電子情報装置を利用してピア・トゥ・ピア・システムを構築することができない。
【０００４】
移動通信装置とサーバとを通信可能とするシステムが開示されている（例えば，特許文献１参照）
【０００５】
【特許文献１】
特開２０００−７８２０７号公報
【０００６】
しかしながら，ピア・トゥ・ピア・システムについては考えられていない。
【０００７】
【発明の開示】
この発明は，ピア・トゥ・ピア・システムを携帯型電子装置が利用できるようにすることを目的とする。
【０００８】
この発明による検索システムは，携帯型電子装置と検索指令サーバとを含むものである。
【０００９】
上記携帯型電子装置は，検索条件を入力する検索条件入力手段，および上記検索条件入力手段から入力された検索条件を表すデータを電子メールによって上記検索指令サーバに送信する第１の電子メール送信手段を備えている。
【００１０】
上記検索指令サーバは，上記携帯型電子装置の上記第１の電子メール送信手段から電子メールによって送信された検索条件データにもとづいて，（上記検索指令サーバとピア・トゥ・ピア・システムを構成する）コンピュータ装置に検索指令を送信する検索指令送信手段，および上記検索指令送信手段から上記コンピュータ装置に送信される検索条件指令にもとづいて上記コンピュータ装置において検索されたことによって，上記コンピュータ装置から送信された検索結果を表すデータを上記携帯型電子装置に電子メールによって送信する第２の電子メール送信手段を備えている。
【００１１】
この発明によると，携帯型電子装置において検索条件が入力される。入力された検索条件を表すデータが電子メールによって，携帯型電子装置から検索指令サーバに送信される。
【００１２】
携帯型電子装置から電子メールによって送信された検索条件データが検索指令サーバにおいて受信されると，受信した検索条件データにもとづいてピア・トゥ・ピア・システムを構成するコンピュータ装置に検索指令が送信される。ピア・トゥ・ピア・システムを構成するコンピュータ装置は，センタ・サーバのようなピア・トゥ・ピア・システムを統括するコンピュータ装置でもよいし，複数のコンピュータ装置でもよい。
【００１３】
検索指令を受信したコンピュータ装置において，携帯型電子装置において入力された検索条件にもとづく検索が行われる。検索の結果見つかったデータなどの検索結果データがコンピュータ装置から上記検索指令サーバに送信される。
【００１４】
コンピュータ装置から送信された検索結果データが上記検索指令サーバにおいて受信されると，その検索結果データが電子メールによって上記携帯型電子装置に送信される。携帯型電子装置においてピア・トゥ・ピア・システムのプログラムをインストールすることなく，ピア・トゥ・ピア・システムを利用することができるようになる。
【００１５】
上記携帯型電子装置は，表示装置，および上記表示装置に関する表示情報を上記検索指令サーバに送信する表示情報送信手段をさらに備えることが好ましい。
【００１６】
この場合，上記検索指令サーバは，上記携帯型電子装置の上記表示情報送信手段から送信された表示情報にもとづいて，上記コンピュータ装置から送信された検索結果を表すデータを上記携帯型電子装置の上記表示装置に表示可能なように変換するデータ変換手段をさらに備えるものとなろう。そして，上記検索結果送信手段が，上記データ変換手段によって変換された検索結果データを上記携帯型電子装置に送信することとなろう。
【００１７】
上記携帯型電子装置には，上記携帯型電子装置の表示装置に表示可能なデータが検索結果データとして送信されてくる。上記携帯型電子装置の表示装置を用いて，検索結果データの内容を確認することができる。
【００１８】
上記検索システムを構成する携帯型電子装置および検索指令サーバをそれぞれ単独で構成するようにしてもよい。また，この発明は，上記携帯型電子装置および検索指令サーバのそれぞれの制御方法も提供している。さらに，上記検索指令サーバを制御するプログラムも提供している。
【００１９】
【実施例の説明】
図１は，この発明の実施例を示すもので，検索システムの概要を示している。
【００２０】
検索システムには，携帯電話１とメール・サーバ２０とが含まれている。これらの携帯電話１とメール・サーバ２０とは，インターネットを介して電子メールを用いて互いに通信可能である。
【００２１】
また，検索システムには，多数のコンピュータ２１〜２４が含まれている。これらのコンピュータ２１〜２４とメール・サーバ２０とはインターネットを介して互いに通信可能である。もっとも，これらのコンピュータ２１〜２４のすべてがメール・サーバ２０と直接通信可能でなくともコンピュータ２１〜２４のうち，一のコンピュータを介して他のコンピュータとメール・サーバが通信できるものでもよい。これらのメール・サーは２０とコンピュータ２１〜２４とは，ピア・トゥ・ピア・システムを構成し，互いにファイルを共有しているものである。
【００２２】
メール・サーバ２０およびコンピュータ２１〜２４には，表示装置，キーボード，通信回路，メモリなどが含まれている。
【００２３】
この実施例による検索システムは，携帯電話１において検索キーワードが入力される。入力された検索キーワードが電子メールによってメール・サーバ２０に送信される。検索キーワードに対応したデータの検索指令がメール・サーバ２０からコンピュータ２１〜２４に送信される。コンピュータ２１〜２４において検索キーワードにもとづく検索処理が行われ，対応するファイルが見つけられる。見つけられたファイルがコンピュータからメール・サーバ２０に送信される。メール・サーバ２０から携帯電話１に見つけられたファイルが添付ファイルとして電子メールを用いて送信される。携帯電話１がピア・トゥ・ピア・システムを構成するコンピュータ２１〜２４と直接に通信することができなくともピア・トゥ・ピア・システムを利用して，所望のデータを見つけることができる。より詳しくは，以下の説明によって明らかとなろう。
【００２４】
図２は，携帯電話１の外観を示している。
【００２５】
携帯電話１の上部には，他の携帯電話，メール・サーバ２０などと通信するためのアンテナ３が設けられている。
【００２６】
携帯電話２の前面の上方にはスピーカ１１が設けられている。このスピーカ１１の下には，表示画面１２が形成されている。表示画面１２の右下には，電子メールの送信モードなど各種モードを設定するときに押されるメニュー・ボタン１３が設けられている。また，表示画面１２の下には，上ボタンＢ１，下ボタンＢ２，左ボタンＢ３および右ボタンＢ４の上下左右ボタンが設けられている。これらの上下左右ボタンＢ１，Ｂ２，Ｂ３およびＢ４の中心には決定ボタン１４が設けられている。
【００２７】
さらに，上下左右ボタンＢ１，Ｂ２，Ｂ３およびＢ４の下には，発呼ボタン１５，クリア・ボタン１６および切断ボタン１７が設けられている。これらのボタン１５等の下にテン・キーパッド１８が設けられている。テン・キーパッド１８を用いて電子メールの文章などを入力することができる。携帯電話２の前面の下には，マイクロフォン１０が設けられている。
【００２８】
図３は，携帯電話１の電気的構成を示すブロック図である。
【００２９】
携帯電話１の全体の動作は，制御回路６によって統括される。
【００３０】
携帯電話１には，携帯電話１の機種情報（表示情報）等を含む所定のデータを記憶するメモリ５が含まれている。また，携帯電話２には，画像等を表示する表示装置７が含まれている。さらに，携帯電話２には，テン・キーパッド，上下左右ボタン，決定ボタンなどの各種キー，ボタンなどを含む操作ボタン８が含まれている。操作ボタン８から出力される操作信号は，制御回路６に入力する。
【００３１】
制御回路２０には，さらに音声処理回路９が接続されている。この音声処理回路９にマイクロフォン１０およびスピーカ１１が接続されている。
【００３２】
他の携帯電話と通話，メール・サーバ２０との通信等のために，携帯電話１には無線回路４が含まれている。この無線回路４にアンテナ３が接続されている。発呼データ，他の携帯電話から送信された音声データ，メール・サーバ２０から送信された電子メール・ファイル等がアンテナ３を介して無線回路４に入力する。入力した音声データ等が無線回路４において復調等させて制御回路６に入力する。入力したデータが音声データであれば，スピーカから音声が出力される。入力したデータが電子メール・ファイルであれば，表示装置７の表示画面１２上に電子メール・ファイルによって表される文章が表示される。また，電子メールに添付ファイルがある場合には，その添付ファイルが画像ファイルであればその画像ファイルによって表される画像が表示画面１２上記に表示される。添付ファイルが音声ファイルであれば，その音声ファイルによって表される音声ガスピーか１１から出力される。
【００３３】
マイクロフォン１０に音声が入力すると，音声信号がマイクロフォン１０から出力され，音声処理回路９に入力する。音声処理回路９において，音声信号からディジタル音声データに変換されて制御回路６に入力する。音声データが無線回路４において変調され，アンテナ３を介して通話相手の携帯電話に送信される。
【００３４】
図４は，携帯電話１の処理手順を示すフローチャート，図５は，携帯電話１の表示画面１２に表示される画像の一例である。図６は，メール・サーバ２０の処理手順を示すフローチャートである。
【００３５】
以下の例では，検索キーワードとして「花見」が入力され，「花見」の画像が見つけられるものとする。
【００３６】
携帯電話１のメニュー・ボタン１３が押され，表示画面１２に各種メニューが表示される。表示されたメニューの中から電子メール送信モードが携帯電話１のユーザによって選択される（図６ステップ３１）。すると，携帯電話１の表示画面１２には，図５に示す電子メール送信画像が表示される（図６ステップ３２）。
【００３７】
電子メール送信画像には，電子メール・アドレスを表示する領域４１，電子メールの件名を表示する領域４２および電子メールの本文を表示する領域４３が含まれている。携帯電話１の上ボタンＢ１が押されることにより，領域４１，４２および４３の間をカーソル（図示略）が上方向に移動し，下ボタンＢ２が押されることにより，領域４１，４２および４３の間をカーソルが下方向に移動する。領域４１，４２および４３のうちカーソルが位置している領域に，ユーザは，テン・キーパッド１８を用いて文字，記号等を入力する。
【００３８】
この実施例においては，電子メール・アドレス表示領域４１には，メール・サーバ２０の検索指令用に定められている所定の電子メール・アドレスが入力される。また，件名領域４２には，検索キーワードが入力される（図６ステップ３３）。本文領域４３には，必要な通信事項が入力される。もっとも，件名領域４２に検索キーワードが入力されずに本文領域４３に検索キーワードが入力されてもよい。
【００３９】
携帯電話１のメモリ５から機種情報データが読み取られ，電子メール・ファイルのヘッダに付加される。機種情報がヘッダに付加された電子メール・ファイルが携帯電話１からメール・サーバ２０に送信される（図４ステップ３４）。
【００４０】
携帯電話１から送信された電子メール・ファイルのうち検索指令用に定められている所定の電子メール・アドレス宛に届いた電子メール・ファイルは検索指令の電子メール・ファイルであるとメール・サーバ２０においてみなされる。検索指令の電子メール・ファイルがメール・サーバ２０において受信されると（図６ステップ５１でＹＥＳ），受信した電子メール・ファイルのヘッダから機種情報が，件名から検索キーワードがそれぞれ抽出される（図６ステップ５２）。抽出された検索キーワードにもとづいて，メール・サーバ２０に記憶される画像ファイルの中から検索キーワード「花見」に対応した画像ファイルが見つけられる（図６ステップ５３）。
【００４１】
また，抽出された検索キーワードが検索指令とともにメール・サーバ２０からコンピュータ２１〜２４に送信される（図６ステップ５４）。
【００４２】
コンピュータ２１〜２４において，メール・サーバ２０から送信された検索キーワードおよび検索指令が受信されると，受信した検索指令に応答して，検索キーワード（この場合，「花見」）に対応した画像ファイルが記憶されているかどうかの検索処理がそれぞれのコンピュータにおいて行われる。それぞれのコンピュータ２１〜２４において検索により見つかった画像ファイルが，コンピュータ２１〜２４からメール・サーバ２０に送信される。
【００４３】
コンピュータ２１〜２４から送信された画像ファイル（検索結果）がメール・サーバ２０において受信されると（図６ステップ５５でＹＥＳ），十分な検索結果が得られたかどうかが判断される（図６ステップ５６）。例えば，検索により該当する画像ファイルが，ある所定の画像ファイルの数以上得られれば十分な検索結果が得られたと判断されよう。十分な検索結果が得られなければ（図６ステップ５６でＮＯ），さらに他のコンピュータに検索指令および検索キーワードが送信され，他のコンピュータにおいて検索処理が行われる。
【００４４】
十分な検索結果が得られると（図６ステップ５６でＹＥＳ），検索の結果得られた画像ファイルによって表される画像が携帯電話１の表示画面１２に表示できるように，携帯電話１から送信された機種情報にもとづいて，検索の結果得られた画像ファイル（画像データ）が変換される（図６ステップ５７）。例えば，得られた画像ファイルが携帯電話２の表示装置７では表示できないフォーマットであれば，携帯電話２に表示できるフォーマットに変換される。また，得られた画像ファイルによって表される画像のサイズが携帯電話１の表示装置７では表示できない場合には，表示できるようにリサイズされる。このようにして変換された画像ファイルが電子メールの添付ファイルとしてメール・サーバ２０から携帯電話１に送信される（図６ステップ５８）。
【００４５】
メール・サーバ２０から送信された電子メールが携帯電話１において受信されると（図４ステップ３５でＹＥＳ），受信した電子メールに添付されている画像ファイルによって表される画像が表示装置７の表示画面１２上に表示される（図４ステップ３６）。電子メールに添付されているファイルが音声ファイルであれば，その音声ファイルによって表される音声がスピーカ１１から出力されるのはいうまでもない。
【００４６】
ピア・トゥ・ピア・システムを利用するには，そのピア・トゥ・ピア・システム専用のプログラムをインストールする必要があるが，専用のプログラムを携帯電話１にインストールすることなく，ピア・トゥ・ピア・システムを利用して所望のファイルを見つけることができるようになる。
【図面の簡単な説明】
【図１】検索システムの概要を示している。
【図２】携帯電話の外観を示している。
【図３】携帯電話の電気的構成を示している。
【図４】携帯電話の処理手順を示している。
【図５】携帯電話に表示される画像の一例を示している。
【図６】メール・サーバの処理手順を示すフローチャートである。
【符号の説明】
１  携帯電話（携帯型電子装置）
３  アンテナ
４  無線回路
５  メモリ
６  制御回路
７  表示装置
８  操作ボタン
１２  表示画面
１３  メニュー・ボタン
１８  テン・キーパッド
２０  メール・サーバ（検索指令サーバ）
２１〜２４  コンピュータ
【図１】
2004178449.tif 000003
【図２】
2004178449.tif 000004
【図３】
2004178449.tif 000005
【図４】
2004178449.tif 000006
【図５】
2004178449.tif 000007
【図６】
2004178449.tif 000008